(57)【要約】【課題】押しボタン部の操作性が弾性を伴って良好且つ確実となり、部品数が削減されてコストダウンが図られ、外観も良好となる検知器を提供する。【解決手段】外殻ケース１内に基台ブロック２を収容設置し、この基台ブロック２上に検知部３を設け、同外殻ケース１の表側にスイッチ操作用の押しボタン部４を設けてなる検知器において、合成樹脂成形体で形成される基台ブロック２から弾性片５を一体成形にて延設し、この弾性片５に押しボタン部４を設け、外殻ケース１に形成されるスイッチ用開口６から同押しボタン部４を進退自在に突設した。【選択図】　　　　　図１
2004145757.tif 000002
【特許請求の範囲】
【請求項１】
外殻ケース内に基台ブロックを収容設置し、この基台ブロック上に検知部を設け、同外殻ケースの表側にスイッチ操作用の押しボタン部を設けてなる検知器であって、合成樹脂成形体で形成される基台ブロックから弾性片を一体成形にて延設し、この弾性片に押しボタン部を設けて、外殻ケースに形成されるスイッチ用開口から同押しボタン部を進退自在に突設してなる検知器。
【請求項２】
外殻ケース内にプリント基板を収容設置し、このプリント基板上に基台ブロック及びスイッチ本体を固定し、押しボタン部が同スイッチ本体を押し操作するようになしたことを特徴とする請求項１記載の検知器。
【請求項３】
押しボタン部を弾性片と一体に合成樹脂で形成したことを特徴とする請求項１又は２記載の検知器。
【請求項４】
基台ブロックから側方へ略枠形状の弾性片を延設し、この弾性片の枠先端側辺部に押しボタン部を設けたことを特徴とする請求項１〜３のいずれか一つに記載の検知器。
【請求項５】
押しボタン部を略枠形状の弾性片の内側に突設したことを特徴とする請求項４記載の検知器。
【請求項６】
押しボタン部を外殻ケース内方へ引き操作するスイッチ操作紐の一端を弾性片に結合し、このスイッチ操作紐の他端側を同外殻ケースに形成される操作紐用孔からその外部へ突出垂設したことを特徴とする請求項１〜５のいずれか一つに記載の検知器。
【発明の詳細な説明】
【０００１】
【発明の属する技術分野】
本発明は、検知部及びスイッチ操作用の押しボタン部を備え、火災の発生や人の存在等を検知する検知器であり、報知機能が備わると、例えば、住宅用の火災警報器ともなる検知器に関するものである。
【０００２】
【従来の技術】
従来から、特開平５−１７４２６６号公報に示される如く、スイッチ操作される熱検知式或いは煙検知式の検知器は知られている。この検知器は、図５〜７に示す如く、検知部３を備えた外殻ケース１の表側にスイッチ操作用の押しボタン部４を設けてなる。この場合、外殻ケース１内にプリント基板７が収容設置されて、このプリント基板７上にスイッチ本体８が固定され、押しボタン部４は同スイッチ本体８を押し操作するものである。
【０００３】
又、この検知器では、外殻ケース１内に乾電池及びブザーのような報知器等が内装されており、前記検知部３で熱或いは煙が検知されると、その検知信号によって同乾電池から電源供給を受ける報知器が動作して火災警報を発するものである。そして、火災警報状態で前記押しボタン部４を押し操作すると、一定時間の警報停止が行われ、通常の監視状態で同押しボタン部４を押し操作すると、報知器の動作チェックが行われる。
【０００４】
【特許文献１】
特開平５−１７４２６６号公報
【０００５】
【発明が解決しようとする課題】
しかしながら、上記従来の技術にあっては、押しボタン部４が合成樹脂成形体であり、この成形部品を一つ余分に必要として部品コストがかかっている。そこで、図８、９に示す如く、押しボタン部４を外殻ケース１と一体に合成樹脂成形体として形成することが考えられた。この検知器では、外殻ケース１内にプリント基板７が収容設置されて、このプリント基板７上にタクトスイッチであるスイッチ本体８が固定され、押しボタン部４は同スイッチ本体８を押し操作するようになっている。
【０００６】
又、この場合、合成樹脂成形体である外殻ケース１の表側にスイッチ用開口６が形成され、このスイッチ用開口６の開口縁から略Ｕ字状に湾曲した弾性連結片部２０を介して、押しボタン部４が同スイッチ用開口６内で進退自在となるよう一体に延設されている。更に、押しボタン部４を外殻ケース１内方へ引き操作するスイッチ操作紐１０の一端１０ａが同押しボタン部４に結合され、このスイッチ操作紐１０の他端１０ｂ側は同外殻ケース１に形成される操作紐用孔１１からその外部へ突出垂設されている。
【０００７】
したがって、この検知器にあっては、押しボタン部４を押し操作したり、スイッチ操作紐１０の他端１０ｂ側を引き操作したりして、スイッチ本体８を同様に作動させることができる。又、押しボタン部４は弾性連結片部２０の弾性に抗して押し操作されることになり、同弾性連結片部２０の弾性復元力によって定位置に復帰停止され、その操作性が良好で確実なものとなる。そして、押しボタン部４が外殻ケース１と一体に合成樹脂成形体として形成されることで、同押しボタン部４だけの成形部品は不要となって、部品コストの低減が図られる。
【０００８】
しかしながら、この場合、押しボタン部４に弾性連結片部２０で弾性を付与するため、或いは、合成樹脂成形体を成形する金型の成形性の面から、外殻ケース１の表側に大きなスイッチ用開口６が形成されることになる。しかも、この大きなスイッチ用開口６の開口縁と押しボタン部４の外周縁との間にある程度の隙間Ｓを必要とするので、外観が悪くなるという問題を生じる。
【０００９】
本発明は、上記従来の技術における問題を悉く解決するために発明されたもので、その課題は、押しボタン部の操作性が弾性を伴って良好且つ確実となり、部品数が削減されてコストダウンが図られ、外観も良好となる検知器を提供することである。
【００１０】
【課題を解決するための手段】
本発明の請求項１記載の検知器は、外殻ケース内に基台ブロックを収容設置し、この基台ブロック上に検知部を設け、同外殻ケースの表側にスイッチ操作用の押しボタン部を設けてなる検知器であって、合成樹脂成形体で形成される基台ブロックから弾性片を一体成形にて延設し、この弾性片に押しボタン部を設けて、外殻ケースに形成されるスイッチ用開口から同押しボタン部を進退自在に突設したものである。
【００１１】
したがって、この場合、合成樹脂成形体で形成される元来備わった基台ブロックから弾性片が一体成形にて延設され、この弾性片に押しボタン部が設けられるので、この押しボタン部だけの部品は不要となり、部品数が削減されて部品コストは低減される。又、押しボタン部は弾性片の弾性に抗して押し操作されることになり、同弾性片の弾性復元力によって定位置に復帰停止され、その操作性が良好で確実なものとなる。しかも、ここでは、弾性片が外殻ケース内に存在して外観に影響を及ぼさないため、同弾性片を長く形成することで押しボタン部に対し十分な弾性を付与することができる。
【００１２】
更に、外殻ケースに形成されるスイッチ用開口からは押しボタン部が進退自在に突設されるだけなので、同スイッチ用開口を小さく形成することができる。しかも、押しボタン部は外殻ケースと一体に成形されるものでなく、この外殻ケース内に存在する弾性片を介して設けられるものであるため、スイッチ用開口の開口縁と同押しボタン部の外周縁との間に発生する隙間を小さく抑えることができる。それ故、外殻ケースの表側に押しボタン部は目立たないよう設けられ、外観が良好となる。
【００１３】
本発明の請求項２記載の検知器は、上記請求項１記載の検知器において、外殻ケース内にプリント基板を収容設置し、このプリント基板上に基台ブロック及びスイッチ本体を固定し、押しボタン部が同スイッチ本体を押し操作するようになしたことを特徴とするものである。
【００１４】
したがって、この場合は特に、基台ブロック及びスイッチ本体が同じプリント基板上に固定されて、押しボタン部が同スイッチ本体を押し操作するようになっているので、この押しボタン部とスイッチ本体との相互位置関係は正確に決定されるものとなり、スイッチ作動の信頼性が向上される。
【００１５】
本発明の請求項３記載の検知器は、上記請求項１又は２記載の検知器において、押しボタン部を弾性片と一体に合成樹脂で形成したことを特徴とするものである。
【００１６】
したがって、この場合は特に、押しボタン部が弾性片と一体に合成樹脂で形成されるので、この押しボタン部及び弾性片を基台ブロックとなる合成樹脂成形体として一体に成形することができ、これ等全体を合成樹脂のみで簡単に成形することができるようになる。
【００１７】
本発明の請求項４記載の検知器は、上記請求項１〜３のいずれか一つに記載の検知器において、基台ブロックから側方へ略枠形状の弾性片を延設し、この弾性片の枠先端側辺部に押しボタン部を設けたことを特徴とするものである。
【００１８】
したがって、この場合は特に、略枠形状で弾性変形し易くなった弾性片の枠先端側辺部に押しボタン部が設けられるので、この押しボタン部には同弾性片によって十分な弾性が付与され、その操作性はより向上される。
【００１９】
本発明の請求項５記載の検知器は、上記請求項４記載の検知器において、押しボタン部を略枠形状の弾性片の内側に突設したことを特徴とするものである。
【００２０】
したがって、この場合は特に、押しボタン部が前記略枠形状の弾性片の内側に突設されるので、この突設される分だけ弾性に寄与する長さが延長されて同弾性が増大されるにもかかわらず、この押しボタン部は同略枠形状の弾性片に対してコンパクトに納まるよう設けられる。
【００２１】
本発明の請求項６記載の検知器は、上記請求項１〜５のいずれか一つに記載の検知器において、押しボタン部を外殻ケース内方へ引き操作するスイッチ操作紐の一端を弾性片に結合し、このスイッチ操作紐の他端側を同外殻ケースに形成される操作紐用孔からその外部へ突出垂設したことを特徴とするものである。
【００２２】
したがって、この場合は特に、押しボタン部を押し操作するだけでなく、スイッチ操作紐の他端側を引き操作することによっても、スイッチ本体を同様に作動させることができるので、天井面のような高所に設置された状態におけるスイッチ操作面での使い勝手が良好となる。
【００２３】
【発明の実施の形態】
図１〜３は、本発明の請求項１〜６全てに対応した一実施形態である検知器を示している。この検知器は報知機能を有する住宅用の火災警報器であり、外殻ケース１内に基台ブロック２を収容設置し、この基台ブロック２上に検知部３を設け、同外殻ケース１の表側にスイッチ操作用の押しボタン部４を設けてなる。そして、この検知器において、合成樹脂成形体で形成される基台ブロック２から弾性片５を一体成形にて延設し、この弾性片５に押しボタン部４を設けて、外殻ケース１に形成されるスイッチ用開口６から同押しボタン部４を進退自在に突設している。
【００２４】
又、この検知器では、外殻ケース１内にプリント基板７を収容設置し、このプリント基板７上に基台ブロック２及びスイッチ本体８を固定し、押しボタン部４が同スイッチ本体８を押し操作するようになしており、同押しボタン部４を弾性片５と一体に合成樹脂で形成してもいる。しかも、基台ブロック２から側方へ略枠形状の弾性片５を延設し、この弾性片５の枠先端側辺部９に押しボタン部４を設けており、ここで、この押しボタン部４を同略枠形状の弾性片５の内側に突設している。更に、押しボタン部４を外殻ケース１内方へ引き操作するスイッチ操作紐１０の一端１０ａを弾性片５に結合し、このスイッチ操作紐１０の他端１０ｂ側を同外殻ケース１に形成される操作紐用孔１１からその外部へ突出垂設している。
【００２５】
以下、この実施形態の検知器について、より具体的に説明する。図１に示す如く、外殻ケース１は基盤プレート１２とカバープレート１３とで構成され、この基盤プレート１２及びカバープレート１３はいずれも合成樹脂成形体であり、両者はその外周縁部分が相互に係合されることで中空形状の同外殻ケース１となる。外殻ケース１内では、その基盤プレート１２の内底面上に複数の凸リブ１４が突設され、この凸リブ１４の上端に各種電子部品が搭載されたプリント基板７は支持固定されている。なお、外殻ケース１はその基盤プレート１２が天井面や壁面等の取着面にネジ止めされることにより、検知器として同取着面に対して設置固定される。
【００２６】
プリント基板７の中程には基台ブロック２が設置固定されており、この基台ブロック２の側方において同プリント基板７上にタクトスイッチであるスイッチ本体８が設置固定されている。この場合、スイッチ本体８の下側には前記凸リブ１４が配置されており、この凸リブ１４によって同スイッチ本体８が押し操作された際の押圧力が支持され、このスイッチ本体８の変位及びプリント基板７の変形が防止される。
【００２７】
基台ブロック２は合成樹脂成形体であり、図３に示す如く、略円形の短筒状に形成されている。基台ブロック２の周縁下端には複数の係止片２ａが垂下突設されており、各係止片２ａが前記プリント基板７に穿設される係止孔（図示せず）に挿入係止されることによって、このプリント基板７上に同基台ブロック２は位置決めされて取着固定される。又、基台ブロック２の周壁部分の下端縁には外側方へ突出した弾性片５が一体に延出突設されており、この弾性片５に設けられる押しボタン部４は前記スイッチ本体８の直上に配置される。
【００２８】
弾性片５は基台ブロック２と一体に成形されて合成樹脂でなり、弾性を有している。弾性片５は略矩形の枠形状に形成され、両側枠部１６と枠先端側辺部９とを備えている。両側枠部１６の中程部分は傾斜状に屈曲しており、弾性変形し易い形状となっている。そして、枠先端側辺部９の内側には結合片部１７を介して略円形状の押しボタン基板部１８が一体に突出延設されており、この押しボタン基板部１８上に略円柱形状の前記押しボタン部４が一体に形成されている。
【００２９】
又、弾性片５の枠先端側辺部９の中程にはスリット１９が形成されており、図１に示す如く、スイッチ操作紐１０の一端１０ａは同スリット１９に挿通係止されて結合される。スイッチ操作紐１０の他端１０ｂ側は前記外殻ケース１の側壁部分に形成される操作紐用孔１１からその外部へと突出垂設されるもので、この場合、前記基盤プレート１２とカバープレート１３との分割係合部位で両者間に同操作紐用孔１１が形成されていて、同基盤プレート１２とカバープレート１３とを係合する際に、この操作紐用孔１１に同スイッチ操作紐１０は挿通保持される。
【００３０】
そして、スイッチ操作紐１０の一端１０ａと弾性片５の枠先端側辺部９との結合部位よりもスイッチ本体８側に前記操作紐用孔１１が配置されることで、この操作紐用孔１１に挿通保持される同スイッチ操作紐１０の他端１０ｂ側を引き操作することにより、押しボタン部４は同スイッチ本体８側へと引っ張り変位されてこのスイッチ本体８を押圧する。
【００３１】
外殻ケース１の前記カバープレート１３の中程には前記基台ブロック２上に設けられる検知部３が突設されており、この検知部３の側方において同カバープレート１３にはスイッチ用開口６が形成されている。スイッチ用開口６は押しボタン部４の外周形状と略適合する形状に形成されており、この押しボタン部４が同スイッチ用開口６の開口縁でガイドされながら進退動作されて出没する。その際、前記弾性片５が弾性変形されて動作され、スイッチ操作紐１０を引き操作することによっても同様に動作される。
【００３２】
外殻ケース１内には乾電池及びブザーやベル等の報知器（図示せず）が収容設置されており、前記検知部３で煙（或いは熱）が検知されると、その検知信号によって同乾電池から電源供給を受ける報知器が動作して火災警報を発するものである。又、火災警報状態で前記押しボタン部４を押し操作すると、一定時間の警報停止が行われ、通常の監視状態で同押しボタン部４を押し操作すると、報知器の動作チェックが行われる。
【００３３】
図２に示す如く、外殻ケース１の前記カバープレート１３には、中程の検知部３を中心として略点対称位置に押しボタン部４と警報部１５とが配設されている。警報部１５は複数の切溝開口が並設されてなり、前記報知器と対応する位置に設けられることで、この報知器からの火災警報音は同警報部１５を通して外部へと報知される。
【００３４】
なお、この実施形態における検知部３は、火災の際に発生する煙を検知するもので、投光素子、投光レンズ、受光素子、ラビリンス等を内蔵した光学台を用いたものであり、同検知部３が設けられる基台ブロック２は、図３に示すような形状となる。火災を検知する検知部３としては、光学台を用いた煙検知式のもの以外で半導体を用いた熱検知式のものであっても良く、この場合、基台ブロック２が図４に示すような形状となる。又、検知部３として、ガスの臭いを検知するものを採用しても良い。
【００３５】
したがって、この実施形態の検知器においては、合成樹脂成形体で形成される元来備わった基台ブロック２から弾性片５が一体成形にて延設され、この弾性片５に押しボタン部４が設けられるので、この押しボタン部４だけの部品は不要となり、部品数が削減されて部品コストは低減される。又、押しボタン部４は弾性片５の弾性に抗して押し操作されることになり、同弾性片５の弾性復元力によって定位置に復帰停止され、その操作性が良好で確実なものとなる。しかも、この場合に、弾性片５が外殻ケース１内に存在して外観に影響を及ぼさないため、同弾性片５を長く形成することで押しボタン部４に対し十分な弾性を付与することができる。
【００３６】
更に、外殻ケース１に形成されるスイッチ用開口６からは押しボタン部４が進退自在に突設されるだけなので、同スイッチ用開口６を小さく形成することができる。しかも、押しボタン部４は外殻ケース１と一体に成形されるのでなく、この外殻ケース１内に存在する弾性片５を介して設けられるものであるため、スイッチ用開口６の開口縁と同押しボタン部４の外周縁との間に発生する隙間を小さく抑えることができる。そのため、外殻ケース１の表側に押しボタン部４は目立たないよう設けられ、外観が良好となっている。
【００３７】
又、この実施形態の検知器においては、基台ブロック２及びスイッチ本体８が同じプリント基板７上に固定されて、押しボタン部４が同スイッチ本体８を押し操作するようになっているので、この押しボタン部４とスイッチ本体８との相互位置関係は正確に決定され、スイッチ作動の信頼性が向上される。又、押しボタン部４が弾性片５と一体に合成樹脂で形成されるので、この押しボタン部４及び弾性片５を基台ブロック２となる合成樹脂成形体として一体に成形することができ、これ等全体を合成樹脂のみで簡単に成形することができる。
【００３８】
又、この実施形態の検知器においては、略枠形状で弾性変形し易くなった弾性片５の枠先端側辺部９に押しボタン部４が設けられるので、この押しボタン部４には同弾性片５によって十分な弾性が付与され、その操作性はより向上されている。しかも、この場合、押しボタン部４が略枠形状の弾性片５の内側に突設されるので、この突設される分だけ弾性に寄与する長さが延長されて同弾性が増大されるにもかかわらず、この押しボタン部４は同略枠形状の弾性片５に対してその内側でコンパクトに納まるよう設けられる。
【００３９】
又、この実施形態の検知器においては、押しボタン部４を押し操作することによってだけでなく、スイッチ操作紐１０の他端１０ｂ側を引き操作することによっても、スイッチ本体８を同様に作動させることができるので、天井面のような高所に設置された状態におけるスイッチ操作面での使い勝手が良好となる。又、この場合に、スイッチ操作紐１０の一端１０ａが弾性片５に結合されて、押しボタン部４は同スイッチ操作紐１０と確実に連動されるようになり、その操作性もスムーズで良好となる。
【００４０】
【発明の効果】
上述の如く、本発明の請求項１記載の検知器においては、元来備わった基台ブロックに押しボタン部が一体に設けられて、この押しボタン部だけの部品は不要となり、部品数が削減されて部品コストは低減される。しかも、押しボタン部は弾性片の弾性により、その操作性が良好で確実なものとなり、又、スイッチ用開口を小さく形成すると共に、このスイッチ用開口と同押しボタン部との間における隙間を小さく抑えることができて、外観も良好となる。
【００４１】
又、本発明の請求項２記載の検知器においては、特に、基台ブロック及びスイッチ本体が同じプリント基板上に固定されて、押しボタン部とスイッチ本体との相互位置関係は正確に決定され、スイッチ作動の信頼性が向上される。
【００４２】
又、本発明の請求項３記載の検知器においては、特に、押しボタン部及び弾性片を基台ブロックとなる合成樹脂成形体として一体に成形することができ、これ等全体を合成樹脂のみで簡単に成形することができるようになる。
【００４３】
又、本発明の請求項４記載の検知器においては、特に、略枠形状で弾性変形し易くなった弾性片により、押しボタン部に十分な弾性が付与されて、その操作性はより向上される。
【００４４】
又、本発明の請求項５記載の検知器においては、特に、押しボタン部が前記略枠形状の弾性片の内側に突設されて、この突設される分だけ弾性が増大されるにもかかわらず、同押しボタン部はコンパクトに納まる。
【００４５】
又、本発明の請求項６記載の検知器においては、特に、スイッチ操作紐を引き操作することによってもスイッチ本体を作動させることができ、高所に設置された状態におけるスイッチ操作面での使い勝手が良好となる。
【図面の簡単な説明】
【図１】本発明の一実施形態である検知器の要部を示す断面図。
【図２】同検知器の全体外観を示す平面図。
【図３】同検知器における基台ブロックを示す斜視図。
【図４】同検知器において採用可能な別例の基台ブロックを示す斜視図。
【図５】従来例である検知器における外殻ケースを示す断面図。
【図６】同検知器の要部を示す断面図。
【図７】同検知器の要部外観を分解して示す斜視図。
【図８】従来考えられる別の検知器の要部を示す断面図。
【図９】同検知器の要部外観を示す平面図。
【符号の説明】
１　外殻ケース
２　基台ブロック
３　検知部
４　押しボタン部
５　弾性片
６　スイッチ用開口
７　プリント基板
８　スイッチ本体
９　枠先端側辺部
１０　スイッチ操作紐
１０ａ　一端
１０ｂ　他端
１１　操作紐用孔
【図１】
2004145757.tif 000003
【図２】
2004145757.tif 000004
【図３】
2004145757.tif 000005
【図４】
2004145757.tif 000006
【図５】
2004145757.tif 000007
【図６】
2004145757.tif 000008
【図７】
2004145757.tif 000009
【図８】
2004145757.tif 000010
【図９】
2004145757.tif 000011